(57)【要約】  【課題】  流動物収容袋が大容量の場合に胴膨れを防止して容器の破損を防ぐことができると共に、製造コストを増大させることの無い流動物用段ボール製容器を提供する。  【解決手段】  流動物用段ボール製容器は、四方に側壁を備えた底蓋５と、底蓋５の側壁の内側に下部が位置する角筒状の外枠体６と、外枠体６の内側に位置する角筒状の内枠体１と、外枠体６と、内枠体１の上部開口を塞ぐ上蓋とを有するものであって、内枠体１は、両側部に凹部と凸部とが連続して形成された嵌合部を備えた略長方形状の多層段ボール片４枚からなり、隣り合う多層段ボール片の嵌合部が嵌合することにより角筒状に形成されている。【選択図】図８
2019014526.tif 000002
【特許請求の範囲】
【請求項１】
四方に側壁を備えた底蓋と、
前記底蓋の側壁の内側に下部が位置する角筒状の外枠体と、
前記外枠体の内側に位置する角筒状の内枠体と、
前記外枠体と、前記内枠体の上部開口を塞ぐ上蓋と、を有する流動物収容袋を収容する流動物用段ボール製容器であって、
前記内枠体は、両側部に凹部と凸部とが連続して形成された嵌合部を備えた略長方形状の多層段ボール片４枚からなり、隣り合う前記多層段ボール片の嵌合部が嵌合することにより角筒状に形成されていることを特徴とする流動物用段ボール製容器。
【請求項２】
多層段ボール片は、隣り合う段ボール相互のフルート目方向が互いに直交するように重ね合せて接着して形成されていることを特徴とする請求項１に記載の流動物用段ボール製容器。
【請求項３】
外枠体と内枠体には、各々の対応する位置の側部に流動物収容袋の排出口を引き出すことが可能な開口が形成されていることを特徴とする請求項１又は２に記載の流動物用段ボール製容器
【請求項４】
底蓋の側壁の内側に外枠体の下部が嵌合していることを特徴とする請求項１〜３のいずれか１項に記載の流動物用段ボール製容器。
【請求項５】
外枠体の内側に内枠体が嵌合していることを特徴とする請求項１〜４のいずれか１項に記載の流動物用段ボール製容器。
【発明の詳細な説明】
【技術分野】
【０００１】
本発明は、液体、粉状体、粒状体等の流動物を収容するプラスチック等の合成樹脂から形成されている流動物収容袋を収容する流動物用段ボール製容器に関するものである。
【背景技術】
【０００２】
従来から、流動物収容袋を収容する流動物用段ボール製容器に関する発明は知られている（特許文献１）。
【０００３】
特許文献１に記載の発明は、図１２に示すように、バッグインボックスタイプの液体用複合容器３０において、箱体３１の内側のコーナ３２、３２・・に、このコーナ３２、３２・・を構成する凹部３３、３３・・を塞ぐようにパッド３４、３４・・を配したものである。
【０００４】
これによって、落下時における合成樹脂製のバッグ３５、３６の損傷を防止すると共に、加圧によってバッグ３６内の飲料を注出する際における外側のバッグのコーナ部の局部的な延伸を防止することが可能となった。
【先行技術文献】
【特許文献】
【０００５】
【特許文献１】実開平１−１７６０６６号公報
【発明の概要】
【発明が解決しようとする課題】
【０００６】
しかしながら、上記特許文献１に記載の流動物用段ボール製容器には、単層の段ボールが使用されており、一辺が４０ｃｍ以下の比較的小さな容器である場合には、有効であるが、一辺が１００ｃｍを超えるような大型の容器の場合には、段ボール製容器の側壁が収容されている流動物のヘッド圧により外部へ膨出する所謂胴膨れ現象を起こして破損し易くなるという課題を有していた。
【０００７】
本発明は、上述した問題点を解決するためになされたものであり、流動物を収容するプラスチック等の合成樹脂から形成されている流動物収容袋が大容量の場合において、収容されている流動物のヘッド圧により外部へ膨出する胴膨れを防止して容器の破損を防ぐことができると共に、製造コストを増大させることの無い流動物用段ボール製容器を提供することを目的とする。
【課題を解決するための手段】
【０００８】
請求項１の流動物用段ボール製容器の発明は、四方に側壁を備えた底蓋と、前記底蓋の側壁の内側に下部が位置する角筒状の外枠体と、前記外枠体の内側に位置する角筒状の内枠体と、前記外枠体と、前記内枠体の上部開口を塞ぐ上蓋と、を有する流動物収容袋を収容する流動物用段ボール製容器であって、前記内枠体は、両側部に凹部と凸部とが連続して形成された嵌合部を備えた略長方形状の多層段ボール片４枚からなり、隣り合う前記多層段ボール片の嵌合部が嵌合することにより角筒状に形成されていることを特徴としている。
【０００９】
請求項１の流動物用段ボール製容器は、内枠体に多層段ボール片を使用していると共に、外枠体が内枠体の外側に位置していることから流動物収容袋が大容量の場合に、収容されている流動物のヘッド圧により外部へ膨出する胴膨れを防止することができ、流動物用段ボール製容器の破損を防ぐことができる。また、内枠体は、多層段ボール片の嵌合部が嵌合することにより角筒状に形成されるので、製造コストを増大させることの無い流動物用段ボール製容器を提供できる。
【００１０】
請求項２の発明は、請求項１の発明において、多層段ボール片は、隣り合う段ボール相互のフルート目方向が互いに直交するように重ね合せて接着して形成されていることを特徴としている。したがって、隣り合うフルート目方向が互いに平行となるように重ね合された多層段ボール片と比較した場合に強度が増すことから、一層胴膨れを防止して、流動物用段ボール製容器の破損を防ぐことができる。
【００１１】
請求項３の発明は、請求項１又は２の発明において、外枠体と内枠体には、各々の対応する位置の側部に流動物収容袋の排出口を引き出すことが可能な開口が形成されていることを特徴としている。したがって、流動物用段ボール製容器から流動物収容袋を取り出すこと無く、流動物を取り出すことができる。
【００１２】
請求項４の発明は、請求項１〜３のいずれかの発明において、底蓋の側壁の内側に外枠体の下部が嵌合していることを特徴としている。したがって、内枠体及び外枠体の下部における強度を増加させることができ、一層流動物収容袋の胴膨れを防止して、流動物用段ボール製容器の破損を防ぐことができる。
【００１３】
請求項５の発明は、請求項１〜４のいずれかの発明において、外枠体の内側に内枠体が嵌合していることを特徴としている。したがって、内枠体の強度を更に増加させることができ、一層流動物収容袋の胴膨れを防止して、流動物用段ボール製容器の破損を防ぐことができる。
【発明の効果】
【００１４】
請求項１の発明は、流動物収容袋が大容量の場合に、収容されている流動物のヘッド圧により外部へ膨出する胴膨れを防止することができ、流動物用段ボール製容器の破損を防ぐことができる。また、製造コストを増大させることの無い流動物用段ボール製容器を提供できる。請求項２、４及び５の発明は、一層流動物収容袋の胴膨れを防止して、流動物用段ボール製容器の破損を防ぐことができる。
【００１５】
また、請求項３の発明は、流動物用段ボール製容器から流動物収容袋を取り出すこと無く、流動物を取り出すことができる。
【図面の簡単な説明】
【００１６】
【図１】本発明に係る流動物用段ボール製容器の内枠体を構成する多層段ボール片を示す正面図である。
【図２】内枠体を組み立てている状態を示す斜視図である。
【図３】内枠体を組み立てている状態を示す斜視図である。
【図４】内枠体を組み立てている状態を示す一部拡大斜視図である。
【図５】底蓋内に内枠体を載置した状態を示す斜視図である。
【図６】外枠体を示す斜視図である。
【図７】外枠体を示す一部拡大斜視図である。
【図８】内枠体の外側に外枠体を嵌め込んでいる状態を示す斜視図である。
【図９】内枠体に外枠体を嵌め込んだ状態でパレット上に載置した状態を示す斜視図である。
【図１０】内枠体に外枠体を嵌め込んだ状態でパレット上に載置した状態を示す一部拡大斜視図である。
【図１１】上蓋を載置した状態の流動物用段ボール製容器を示す斜視図である。
【図１２】従来の流動物用段ボール製容器を示す断面図である。
【発明を実施するための形態】
【００１７】
次に、本発明の実施形態を図面に基づいて説明する。図１は、本発明に係る流動物用段ボール製容器の内枠体を構成する多層段ボール片を示す正面図であり、図２及び図３は、内枠体を組み立てている状態を示す斜視図である。また、図４は、内枠体を組み立てている状態を示す一部拡大斜視図であり、図５は、底蓋内に内枠体を載置した状態を示す斜視図である。これらの図を用いて本発明に係る流動物用段ボール製容器を構成する内枠体及び底蓋について説明する。
【００１８】
内枠体１は、略長方形状の４枚の多層段ボール片１ａ、１ｂ、１ｃ、１ｄから構成される。ここで、略長方形状としたのは、４枚の多層段ボール片１ａ、１ｂ、１ｃ、１ｄの両側部に凹部２ａと凸部２ｂとが連続して形成された嵌合部２を備えており、この嵌合部２を除く部分が長方形状に形成されているからである。尚、図１に示す多層段ボール片１ａは、流動物収容袋（図示せず）の排出口を引き出すことが可能な開口３が形成されているが、他の３枚の多層段ボール片１ｂ、１ｃ、１ｄには開口は形成されていない。
【００１９】
したがって、内枠体１の製作に際しては、両側部に凹部２ａと凸部２ｂとが連続して形成された嵌合部２を備えた同形状の多層段ボール片を４枚製作した後、その中の１枚に開口３を形成することにより、多層段ボール片１ａが製作される。次に、多層段ボール片１ｃはそのままの状態で、多層段ボール片１ｂと１ｄは天地を反転させた状態で隣り合う多層段ボール片の嵌合部２の凹部２ａと凸部２ｂとを各々嵌合させることによって角筒状の内枠体１が製作される。
【００２０】
ここで、内枠体１の多層段ボール片１ａ、１ｂ、１ｃ、１ｄは、図４に示すように、隣り合う段ボール４ａ、４ｂ相互のフルート目方向が互いに直交するようにして重ね合せて接着して形成されている。これにより、隣り合うフルート目方向が互いに平行となるように重ね合された多層段ボール片と比較した場合に強度が増すことから、一層胴膨れを防止して、流動物用段ボール製容器の破損を防ぐことができる。尚、多層段ボール片１ａ、１ｂ、１ｃ、１ｄの重ね合わせる段ボール４ａ、４ｂ・・の枚数を図４においては６枚としているがこれに限定するものではなく、収容する流動物収容袋の容積や要求される強度に対応して適宜増減することができる。
【００２１】
底蓋５は、図５に示すように、底面部５ｅから立設された側壁５ａ、５ｂ、５ｃ、５ｄが形成されている。そして、内枠体１を底面部５ｅの上面に載置した状態では、多層段ボール片１ａ、１ｂ、１ｃ、１ｄの外面下部と側壁５ａ、５ｂ、５ｃ、５ｄの内面との間には、後述する外枠体の下部が挿入される隙間が形成されている。
【００２２】
図６は、外枠体を示す斜視図であり、図７は、外枠体を示す一部拡大斜視図である。これらの図を用いて本発明に係る流動物用段ボール製容器を構成する外枠体について説明する。
【００２３】
外枠体６は、長方形状の段ボール片６ａ、６ｂから構成されており、この段ボール片６ａ、６ｂの中央部の短手方向に形成されている折り曲げ線（罫線）７ａ、７ｂで直角に折り曲げると共に、一方の端部の接合部８ａ、８ｂに形成されている折り曲げ線（罫線）９ａ、９ｂで直角に折り曲げて、接合部８ａと端部８ｃ、接合部８ｂと端部８ｄを各々接着剤で接合することにより、４つの側面１０ａ、１０ｂ、１０ｃ、１０ｄを備えた角筒状に形成される。
【００２４】
また、外枠体６は、一つの側面１０ａに、開口１１が形成されている。この開口１１は、前述した内枠体１の開口３と対応する位置に形成されており、流動物収容袋の排出口を引き出すことを可能にしている。尚、図７に示すように、段ボール片６ａ、６ｂには、中芯が二層になったＡＢフルートからなる復両面段ボールが使用されているが、これに限定するものではなく、要求される強度に対応して多層段ボール片を使用することもできる。
【００２５】
図８は、内枠体の外側に外枠体を嵌め込んでいる状態を示す斜視図であり、図９は、内枠体に外枠体を嵌め込んだ状態でパレット上に載置した状態を示す斜視図である。また、図１０は、内枠体に外枠体を嵌め込んだ状態でパレット上に載置した状態を示す一部拡大斜視図である。これらの図を用いて本発明に係る流動物用段ボール製容器について説明する。
【００２６】
外枠体６は、内側が内枠体１に嵌合する寸法に形成されているのが好ましく、外枠体６の下部は、底蓋５の側壁５ａ、５ｂ、５ｃ、５ｄの内側に嵌合する寸法に形成されているのが好ましい。この状態で、流動物収容袋に流動物が注入されると、流動物収容袋の下部外周が膨張して内枠体１の内側からの圧力が増すことになるが、底蓋５の側壁５ａ、５ｂ、５ｃ、５ｄと、外枠体６と、内枠体１の３層が嵌合していることにより強度が増すことになるので、流動物収容袋の胴膨れを防ぐことができ、流動物用段ボール製容器の破損を防ぐことができる。
【００２７】
また、図９に示す内枠体１に外枠体６を嵌め込んだ状態では内枠体１の開口３と外枠体６の開口１１が一致した状態となるので、流動物収容袋の排出口を引き出すことを容易に行うことができる。
【００２８】
図１１は、上蓋を載置した状態の流動物用段ボール製容器を示す斜視図である。本発明に係る流動物用段ボール製容器は、前述した図９に示す状態で、内枠体１の内部には図示していないが流動物収容袋が載置されており、この状態で上部から流動物収容袋に流動物が注入される。そして、流動物の注入が完了して流動物収容袋の注入口が閉じられた段階で、上蓋１２により、内枠体１と外枠体６により形成された上部開口が閉じられて、流動物用段ボール製容器２０は、図１１に示す状態となる。そして、流動物用段ボール製容器２０は、図１１に示す状態で、締め付けバンド（図示せず）により、運搬用パレット１３と共に、外周を固く緊締される。尚、締め付けバンドは、金属製、合成樹脂製のいずれでもよい。
【産業上の利用可能性】
【００２９】
本発明の流動物用段ボール製容器は、液体、粉状体、粒状体等の流動物を収容するプラスチック等の合成樹脂から形成されている流動物収容袋を収容する容器として使用される。
【符号の説明】
【００３０】
１  内枠体
１ａ、１ｂ、１ｃ、１ｄ  多層段ボール片
２  嵌合部
２ａ  凹部
２ｂ  凸部
３  開口
４ａ、４ｂ  段ボール
５  底蓋
５ａ、５ｂ、５ｃ、５ｄ  側壁
５ｅ  底面部
６  外枠体
６ａ、６ｂ  段ボール片
７ａ、７ｂ、９ａ、９ｂ  折り曲げ線
８ａ、８ｂ  接合部
８ｃ、８ｄ  端部
１０ａ、１０ｂ、１０ｃ、１０ｄ  側面
１１  開口
１２  上蓋
１３  運搬用パレット
２０  流動物用段ボール製容器
【図１】
2019014526.tif 000003
【図２】
2019014526.tif 000004
【図３】
2019014526.tif 000005
【図４】
2019014526.tif 000006
【図５】
2019014526.tif 000007
【図６】
2019014526.tif 000008
【図７】
2019014526.tif 000009
【図８】
2019014526.tif 000010
【図９】
2019014526.tif 000011
【図１０】
2019014526.tif 000012
【図１１】
2019014526.tif 000013
【図１２】
2019014526.tif 000014